(57)【要約】【目的】本発明は、建造物の構造用鋼材とパネル部材とを簡略な操作で着脱でき、かつ、両者を強固に連結できる連結具を用いて構造用鋼材であるＨ型鋼の端部同士をパネル部材の取り付けに支障のない状態で連結できる連結構造を提供する。【構成】本発明の連結構造は、建造物の構造用鋼材としてのＨ型鋼同士を突き合わせ状態で連結する連結構造であって，突き合わせ状態の各Ｈ型鋼のウェブ内面及び各Ｈ型鋼の連結片に臨む第１、第２の当接部を有するＬ状の一対の各連結部材と，前記各Ｈ型鋼のウェブ外面側に設けたボルトの頭部を埋設状態に収容するボルト挿通穴とを具備し，各Ｈ型鋼のボルト挿通穴を設けたウェブと前記一対の連結部材の各第１の当接部とをウェブ外面側にボルトの頭部が露出しない状態で連結するとともに、各Ｈ型鋼の連結片と前記一対の連結部材の各第２の当接部とをボルト連結するようにしたものである。【選択図】図７
2004003351.tif 000002
【特許請求の範囲】
【請求項１】
建造物の構造用鋼材としてのＨ型鋼３０、３０同士を突き合わせ状態で連結する連結構造であって，突き合わせ状態の各Ｈ型鋼３０、３０のウェブ３０ａ、３０ａ内面及び各Ｈ型鋼３０、３０の連結片３０ｃ、３０ｃに臨む第１、第２の当接部３１、３２を有するＬ状の一対の各連結部材３３と，前記各Ｈ型鋼３０、３０のウェブ３０ａ、３０ａ外面側に設けたボルト３５の頭部を埋設状態に収容するボルト挿通穴３４ａとを具備し，各Ｈ型鋼３０、３０のボルト挿通穴３４ａを設けたウェブ３０ａ、３０ａと前記一対の連結部材３３の各第１の当接部３１とをウェブ３０ａ、３０ａ外面側にボルト３５の頭部が露出しない状態で連結するとともに、各Ｈ型鋼３０、３０の連結片３０ｃ、３０ｃと前記一対の連結部材３３の各第２の当接部３２とをボルト連結することを特徴とする連結構造。
【発明の詳細な説明】
【産業上の利用分野】
本発明は、建造物の構築の際に用いて有益な連結構造に関する。
【従来の技術】
例えば、図８に示すような、組み立て分解可能な防音ハウス等の建造物５０を構築する場合、図９に示す如く、構造用鋼材としてのＨ型鋼５１とこのＨ型鋼５１の外側を覆う壁面材であるパネル部材５２とを組み立て分解可能に連結することが必要になる。
しかし、従来のＨ型鋼５１とパネル部材５２との連結は、例えば、図９に示すように、Ｈ型鋼５１のウェブ５１ａの厚さに相当する段差をもった連結具５３をウェブ５１ａ、パネル部材５２の各内面に当接し、パネル部材５２と連結具５３とをボルト５４、ナット５５により一体的に連結するとともに、連結具５３に螺合した締め付けボルト５６の突出端をウェブ５１ａの内面に当接させるようにしているため、締め付けボルト５６の突出端でもってＨ型鋼５１のウェブ５１ａの当接面を損傷してしまい、且つ、締め付けボルト５６の突出端において所謂みそすり運動（締め付けボルト５６の偏芯運動状態）を惹起し、締め付けボルト５６の突出端がＨ型鋼５１のウェブ５１ａの当接面でがたついてしまうという状態が生じてしまい、パネル部材５２を移動させてしまうので、連結具５３をＨ型鋼５１のウェブ５１ａに固定することが困難でＨ型鋼５１とパネル部材５２との連結に支障が生じるという問題があった。
また、上述したような防音ハウス等の建造物５０を構築する場合、構造用鋼材としてのＨ型鋼５１の端部同士を直列的に連結する必要も生じるが、従来におけるＨ型鋼５１の端部同士の連結構造は、図１０、図１１に示すように、端にＨ型鋼５１の端部同士を突き合わせ、両Ｈ型鋼５１の各ウェブ５１ａ、５１ｂに各々跨がるように連結板６１ａ、６１ｂを配置してこれらをボルト６２、ナット６３を用いて連結するとともに、両Ｈ型鋼５１の連結片５１ｃの突き合わせ部分の両側にも連結板６１ｃ、６１ｄを配置してこれらをボルト６４、ナット６５を用いて連結するようにしたものである。。
この結果、両Ｈ型鋼５１のウェブ５１ａ、５１ａの外側に連結板６１ａが露出してしまい、この状態ではパネル部材５２を平坦な状態でウェブ５１ａ、５１ａの外側に配置することができないという問題があった。
【発明が解決しようとする課題】
そこで、本発明は、建造物の構造用鋼材とパネル部材とを簡略な操作で着脱でき、かつ、両者を強固に連結できる連結具を用いて構造用鋼材であるＨ型鋼の端部同士をパネル部材の取り付けに支障のない状態で連結できる連結構造を提供することを目的とするものである。
【課題を解決するための手段】
請求項１記載の発明は、建造物の構造用鋼材としてのＨ型鋼同士を突き合わせ状態で連結する連結構造であって，突き合わせ状態の各Ｈ型鋼のウェブ内面及び各Ｈ型鋼の連結片に臨む第１、第２の当接部を有するＬ状の一対の各連結部材と，前記各Ｈ型鋼のウェブ外面側に設けたボルトの頭部を埋設状態に収容するボルト挿通穴とを具備し，各Ｈ型鋼のボルト挿通穴を設けたウェブと前記一対の連結部材の各第１の当接部とをウェブ外面側にボルトの頭部が露出しない状態で連結するとともに、各Ｈ型鋼の連結片と前記一対の連結部材の各第２の当接部とをボルト連結するようにしたものである。
【作用】
以下に上述した発明の作用を説明する。
請求項１記載の連結構造によれば、Ｌ状の一対の連結部材の各第１及び第２の当接部を突き合わせ状態の各Ｈ型鋼のウェブ内面及び各Ｈ型鋼の連結片に臨ませ、各Ｈ型鋼のウェブ外面側に設けたボルトの頭部を埋設状態に収容するボルト挿通穴にボルトを挿通してこのウェブと前記各連結部材の第１の当接部とをウェブ外面側にボルトの頭部が露出しない状態で連結するとともに、各Ｈ型鋼の連結片と前記各連結部材の第２の当接部とをボルト連結することにより、各Ｈ型鋼のウェブ外面側にボルトの頭部が露出することは無くなり、これにより、各Ｈ型鋼のウェブ外面側が平坦となって、各Ｈ型鋼の端部同士をパネル部材の取り付けに支障のない状態で連結できる。
【実施例】
まず、本発明の連結構造において用いる連結具を図１乃至図３を参照して　実施例を詳細に説明する。
図１乃至図３に示す連結具１は、建造物の構造用鋼材であるＨ型鋼１０と、このＨ型鋼１０のウェブ１０ａの外側に添設されるパネル部材１１とを着脱可能に連結するものである。
この連結具１は、図１、図２に示すように、一端側に、前記Ｈ型鋼１０のウェブ１０ａの肉厚部分に相当する段差Ｈをもった鋼材当接部２及び前記Ｈ型鋼１０のウェブ１０ａ外側に当接するパネル部材１１の内面に当接するパネル部材当接部３を設けた中空状の本体４と、この本体４のパネル部材当接部３側に形成したボルト挿通領域５と、この本体４の鋼材当接部２に端面を臨ませた断面Ｕ状の鋼材押圧具６と、前記本体４の他端側に前記鋼材押圧具６に臨む状態に一体的に取り付けたねじ孔７ａを有するボルトねじ込み体７と、このボルトねじ込み体７にねじ込まれ先端部を前記鋼材押圧具６に当接させてこの鋼材押圧具６を前記Ｈ型鋼１０のウェブ１０ａに圧接する第２のボルト８と、この第２のボルト８に螺合されこの第２のボルト８を前記ボルトねじ込み体７に締め付け固定する緩み止めナット９と、前記パネル部材１１側に配置するナット１２と螺合して本体４のパネル部材当接部３側をパネル部材１１に固定する第１のボルト１３とを有している。
この連結具１により建造物の構造用鋼材としてのＨ型鋼１０とパネル部材１１とを連結する場合には、図３に示すように、Ｈ型鋼１０のウェブ１０ａ外側にパネル部材１１を接合配置した状態で、前記本体４の鋼材当接部２の各面をウェブ１０ａの内面、端面に位置させ、鋼材押圧具６の端面をウェブ１０ａの内面に接触させるとともにパネル部材当接部３をパネル部材１１の内面に当接させる。
そして、本体４のボルト挿通領域５に挿通した第１のボルト１３を、前記パネル部材１１側に予め配置したナット１２と螺合して本体４のパネル部材当接部３側をパネル部材１１に固定する。また、前述の通り本体の鋼材当接部の各面を構造用鋼材の内面に当接させ鋼材押圧具を構造用鋼材の内面に接触させつつ、第２のボルト８をボルトねじ込み体７にねじ込み、第２のボルト８の先端部を前記鋼材押圧具６の内定面に当接させてこの鋼材押圧具６を前記ウェブ１０ａに圧接するとともに、前記ナット９により第２のボルト８を前記ボルトねじ込み体７に締め付け固定する。
これにより、前記第２のボルト８の先端部は直接ウェブ１０ａに当接せず、鋼材押圧具６のある程度の面積をもった端面がウェブ１０ａの内面に圧接する状態になり、第２のボルトの先端部でもって構造用鋼材の当接面を損傷することなく、また、前記した従来例のような所謂みそすり運動（ボルトの偏芯運動状態）を伴うことなく、Ｈ型鋼１０とパネル部材１１とを強固に連結できる。
また、前記ナット１２を緩め、第２のボルト８を緩めるとともに、第１のボルト１３を逆に回すだけの簡略な操作で、Ｈ型鋼１０とパネル部材１１とを離脱させることができる。
図４は、前記連結具１を用いたＨ型鋼１０と他のパネル部材１１Ａとの連結状態を示すものである。
図４に示すパネル部材１１Ａは、Ｈ型鋼１０との接合面側の内側に２個のナット１６を予め配置している。
この場合にも、図３に示す場合と同様、連結具１を用いてＨ型鋼１０とパネル部材１１Ａとを強固に連結できるとともに、簡略な操作で、Ｈ型鋼１０とパネル部材１１Ａとを離脱させることができる。
図５は、前記連結具１の他の使用例を示すものであり、構造用鋼材としての山型鋼２０の一片２０ａと、上述した図４に示す場合と同様なパネル部材１１Ａとを連結する場合を示すものである。
この場合にも、図３に示す場合と同様、連結具１を用いて山型鋼２０とパネル部材１１Ａとを強固に連結できるとともに、簡略な操作で、山型鋼２０とパネル部材１１Ａとを離脱させることができる。
次に、上記連結具を用いた本発明に係る連結構造の実施例を図６、図７を参照して説明する。
図６、図７（ａ）及び（ｂ）に示す連結構造は、建造物の構造用鋼材としてのＨ型鋼３０同士を突き合わせ状態で連結するものである。
この連結構造は、突き合わせ状態の各Ｈ型鋼３０、３０の一方のウェブ３０ａ、３０ａの内面及び各Ｈ型鋼３０、３０の連結片３０ｃ、３０ｃに臨む第１、第２の平坦な当接部３１、３２をＬ状に連結した一対の連結部材３３と、前記各Ｈ型鋼３０、３０のウェブ３０ａ、３０ａの外面側に設けたボルト３５の頭部を埋設状態に収容するボルト挿通穴３４ａとを具備し、各Ｈ型鋼３０、３０のボルト挿通穴３４ａを設けたウェブ３０ａ、３０ａと前記各連結部材３３の第１の当接部３１とを、ウェブ３０ａ、３０ａの外面側にボルト３５の頭部が露出しない状態で、ナット３６を用いて連結するとともに、各Ｈ型鋼３０、３０の連結片３０ｃ、３０ｃと前記連結部材３３の第２の当接部３２とをボルト３７、ナット３８を用いてボルト連結するようにしたものである。なお、本実施例においては、連結に際して、図６、図７（ａ）に示すように、各Ｈ型鋼３０、３０の他方の各ウェブ３０ｂ、３０ｂに跨がるように長尺状の各連結材４１、４２を接合し、各ウェブ及び各連結材４１、４２に設けたボルト挿通穴にボルト３５を挿通し、ナット３６をもって締着するようにしている。
この場合、前記ボルト挿通穴３４ａは、図７（ａ）に示すように、ウェブ３０ａの内面側に溶接等で一体的に添設したスペーサ板３９に至る丸孔とし、ボルト３５としては前記ボルト挿通穴３４ａに埋没する通常の頭部をもったものを用いることができる。また、前記ボルト挿通穴３４ａを、図７（ｂ）に示すように、皿孔とし、ボルト３５としては前記皿孔に嵌合するテーパ状の頭部を有する皿ボルト３５Ａを用いても良い。
このような連結構造によれば、Ｌ状の一対の連結部材３３の各第１、第２の当接部３１、３２を突き合わせ状態の各Ｈ型鋼３０、３０のウェブ３０ａ、３０ａの内面及び各Ｈ型鋼３０、３０の連結片３０ｃに臨ませ、各Ｈ型鋼３０、３０のウェブ３０ａ、３０ａの外面側に設けた前記ボルト挿通穴３４ａにボルト３５を挿通してこのウェブ３０ａ、３０ａと前記各連結部材３３の第１の当接部３１とをウェブ３０ａの外面側にボルト３５、ボルト３５Ａの頭部が露出しない状態で連結するとともに、各Ｈ型鋼３０、３０の連結片３０ｃ、３０ｃと前記各連結部材３３の第２の当接部３２とをボルト３７、ナット３８を用いてボルト連結することにより、各Ｈ型鋼のウェブ外面側にボルトの頭部が露出することは無くなり、これにより、各Ｈ型鋼３０、３０のウェブ３０ａ、３０ａの外面側が平坦な状態で連結され、各Ｈ型鋼３０、３０の端部同士を前記パネル部材１１の取り付けに支障のない状態で連結できる。相互に連結された各Ｈ型鋼３０、３０同士の上面に防水用の適宜テープ等を貼着すると、各Ｈ型鋼３０、３０同士の接合、連結部分からの浸水を完全に防止できる。
なお、図６、図７（ａ）、（ｂ）中、３０ｂは各Ｈ型鋼３０、３０の他方のウェブ、４０は前記連結部材３３に設けた補強片である。
【発明の効果】
請求項１記載の発明によれば、各Ｈ型鋼の端部同士をパネル部材の取り付けに支障のない状態で連結できる連結構造を提供することができる。
【図面の簡単な説明】
【図１】本発明の連結構造に用いる連結具の外観を示す斜視図である。
【図２】本発明の連結構造に用いる連結具の外観を示す斜視図である。
【図３】本発明の連結構造に用いる連結具の使用状態を示す断面図である。
【図４】本発明の連結構造に用いる連結具の使用状態の他例を示す断面図である。
【図５】本発明の連結構造に用いる連結具の使用状態の更に他例を示す断面図である。
【図６】本実施例の連結構造の分解斜視図である。
【図７】（ａ）本実施例の連結構造を示す断面図であり、（ｂ）はボルト挿通穴３４ａ
の異なる実施例の連結構造の一部を示す断面図である。
【図８】防音ハウスの一例を示す斜視図である。
【図９】従来の連結具を示す断面図である。
【図１０】従来の連結構造を示す正面図である。
【図１１】従来の連結構造を示す断面図である。
【符号の説明】
１　　連結具
２　　鋼材当接部
３　　パネル材当接部
４　　本体
５　　ボルト挿通領域
６　　鋼材押圧具
７　　ボルトねじ込み体
８　　第２のボルト
９　　緩み止めナット
１０　　Ｈ型鋼
１０ａ　ウェブ
１０ｃ　連結片
１１　　パネル部材
１３　　第１のボルト
３０　　Ｈ型鋼
３０ａ　ウェブ
３０ｃ　連結片
３１　　第１の当接部
３２　　第２の当接部
３３　　連結部材
３４ａ　ボルト挿通孔
３６　　ナット
３７　　ボルト
３８　　ナット
４１　　連結材
４２　　連結材
【図１】
2004003351.tif 000003
【図２】
2004003351.tif 000004
【図３】
2004003351.tif 000005
【図４】
2004003351.tif 000006
【図５】
2004003351.tif 000007
【図６】
2004003351.tif 000008
【図７】
2004003351.tif 000009
【図８】
2004003351.tif 000010
【図９】
2004003351.tif 000011
【図１０】
2004003351.tif 000012
【図１１】
2004003351.tif 000013